(57)【要約】【課題】上方をオープンさせた囲い枠状の間仕切装置において、吊り戸式扉の下部をガイドするガイド構造の組み立て作業性を向上させる。【手段】扉６の下端面には左右長手のガイド溝４８が形成されている。間仕切装置は、支柱２と天枠体３とを主要部材として骨組みが構成されており、隣合った支柱２の間にパネル等を装着している。そして、支柱２に形成した係合穴５４を利用してブラケット４９を支柱２に取付け、このブラケット４９に水平回転自在に取付けガイドローラ５１を扉６のガイド溝４６に嵌め入れている。ブラケット４９は支柱２に簡単に取付けることができる。【選択図】      図９
2004316085.tif 000002
【特許請求の範囲】
【請求項１】
適宜の間隔を隔てて立設した支柱群をその上端において天枠体で連結することにより、隣合った支柱で挟まれた単位面の複数個を連続させた形態と成し、少なくとも１つの単位面を出入口と成し、この出入口を開閉自在に塞ぐ扉が、単位面の外側又は内側を水平動し得るように前記天枠体に吊懸けられている一方、出入口を除いた他の単位面はパネルで塞ぐ等の適宜の用途に供している間仕切装置であって、
前記扉の下端に、出入口の間口方向に沿って長く延びるガイド部を設けている一方、前記扉の近傍に位置した支柱には、前記扉のガイド部と嵌合又は係合して扉の振れを抑制する固定ガイド部材が着脱可能に取り付けられている、
扉付きの間仕切装置。
【請求項２】
前記扉の近傍の支柱は押し出し成形によって中空状に形成されており、この支柱に、間仕切装置の外面側と内面側とに向けて開口する内外の縦溝を上下全長にわたって延びるように形成している一方、
前記扉の下端には、前記ガイド部として、下向きに開口したガイド溝がその幅方向に沿って長く延びるように形成されており、
更に、前記固定ガイド部材は、扉のガイド溝に下方から嵌まる水平回転自在なガイドローラであって、このガイドローラをブラケットに取付け、ブラケットに形成した係止爪を、前記支柱における縦溝の底面箇所に形成した係合穴に落し込み係合させている、
請求項１に記載した扉付き間仕切装置。
【発明の詳細な説明】
【０００１】
【発明の属する技術分野】
本発明は、囲い枠状で扉付きの間仕切装置（スペース利用システム）に関するものである。
【０００２】
【従来の技術】
一般的な間仕切装置は、天井まで届く支柱群にパネルを装着したタイプと、成人の身長程度かそれよりも低い高さのユニットを平面視十字状やＴ字状等の様々の形態に連結したローパーティションとが広く使用されている。
【０００３】
前者のように天井まで届く態様のものはスペースを個室化するもので、内部には専用の照明が必要になる。他方、後者のローパーティションはワークエリアを仕切る目隠し的な機能が強く、パーティションの上方は開放しているので専用の照明は必要ない。
【０００４】
これら一般的な間仕切装置は、個人ごと又はグループごとのワークエリアを仕切ることを主眼としていると言え、クローズド志向であると言える。これに対して、成人の身長よりも高い高さでしかも上方が開口したオープンタイプの囲い枠状の間仕切装置が提案されている。このものは、人が自由に出入りできるようなオープン志向性が高いと言え、例えば、ミーティングルームや談話室、休憩室、展示室等の様々の用途に供されている。
【０００５】
この囲い枠状の間仕切装置は、多数枚の壁パネルを連結して成るものと、支柱群や天枠体で構成された骨組みにパネル等を取付けて成るタイプとに大別され、後者のタイプは、支柱にパネルのみでなくスクリーン等の様々のものを取付けできる点や、パネルやスクリーン等の部材の交換が簡単でデザインを多様化できる等の点において優れている。
【０００６】
このように囲い枠状でオープンタイプの間仕切装置において、出入口に引き戸式の扉を設けることがある。この場合、扉は、出入口の上方において水平方向に延びる天レール（天枠体）に吊懸けることになるが、単に天レールに吊り掛けただけでは扉がその厚さ方向に横揺れし易い。
【０００７】
この点については、自閉式扉において多用されているように、扉の下端面に下向きに開口したガイド溝を幅方向（間口方向）に沿って長く延びるように形成する一方、床面に、前記扉のガイド溝に嵌まるガイドローラを配置することが考えられる。また、壁パネルを連結して構成された間仕切装置の場合は、壁パネルに何らかのガイド部材をねじ止めして、このガイド部材により、扉の下端部をガイドすることが考えられる。
【０００８】
【発明が解決しようとする課題】
ガイドローラを床に固定する方式では、ガイドローラの取付け作業に際してコンクリート等の床に電器ドリルで穴を空けたアンカーを打ち込まなければならないため取付け作業が面倒である点や、いわゆるアクセスフロアーのような二重床には適用し難い点、或いは、扉が不要となってガイドローラを取り外すと床に傷跡が残るという問題がある。
【０００９】
他方、壁パネルにガイド部材をねじ止めする方式では、扉が不要となってガイド部材を取り外した後にパネルにねじ止めの後が傷跡として残って体裁が悪くなるという問題や、壁パネルはガイド部材をしっかりと取付けできる強度がないといけないため壁パネルの選択の自由性が低下するといった問題がある。
【００１０】
本発明は、このような問題を解消した間仕切装置を提供することを課題とするものである。
【００１１】
【課題を解決するための手段】
本発明の間仕切は、基本構成として、適宜の間隔を隔てて立設した支柱群をその上端において天枠体で連結することにより、隣合った支柱で挟まれた単位面の複数個を連続させた形態と成し、少なくとも１つの単位面を出入口と成し、この出入口を開閉自在に塞ぐ扉が、単位面の外側又は内側を水平動し得るように前記天枠体に吊懸けられている一方、出入口を除いた他の単位面はパネルで塞ぐ等の適宜の用途に供されている。
【００１２】
そして、請求項１の発明の特徴として、前記扉の下端に、出入口の間口方向に沿って長く延びるガイド部を設けている一方、前記扉の近傍に位置した支柱には、前記扉のガイド部と嵌合又は係合して扉の振れを抑制する固定ガイド部材が着脱可能に取り付けられている。
【００１３】
請求項２の発明では、請求項１において、前記扉の近傍の支柱は押し出し成形によって中空状に形成されており、この支柱に、間仕切装置の外面側と内面側とに向けて開口する内外の縦溝を上下全長にわたって延びるように形成している一方、前記扉の下端には、前記ガイド部として、下向きに開口したガイド溝がその幅方向に沿って長く延びるように形成されている。
【００１４】
更に、前記固定ガイド部材は、扉のガイド溝に下方から嵌まる水平回転自在なガイドローラであって、このガイドローラをブラケットに取付け、ブラケットに形成した係止爪を、前記支柱における縦溝の底面箇所に形成した係合穴に落し込み係合させている。
【００１５】
【発明の作用・効果】
本発明は、支柱と天枠体とを骨組みの構成要素とした間仕切装置を対象として、扉の振れを抑制するためのガイド部材を支柱に取付けているため、床に取付ける場合に比べて作業が簡単であり、また、アクセスフロアー上に設置された間仕切装置にも何ら支障無く対応でき、更に、扉を取り外した後に床に傷跡が残るような不具合も皆無となるといった利点を有する。
【００１６】
また、ガイドローラ等のガイド部材を床に取付ける場合は、支柱の位置をずらした場合の再調整がきわめて面倒になる問題があるが、本願発明ではこのような問題は全く無い。
【００１７】
他方、ガイド部材をパネルにねじ止めする場合に比べては、仮に支柱に取付け穴が空いていてもパネルに空いている場合に比べて目立たないため、扉が不要となってガイド部材を取り外した後の体裁の悪化を抑制でき、また、パネルは扉とは関係なしに選択できるため、間仕切装置全体としてのデザイン・機能の自由性を向上できるという利点を有する。
【００１８】
特に、請求項２のように構成すると、ブラケットの取付けや取り外しを極めて簡単に行うことできると共に、係合溝は縦溝の内部にあった目立たないため美感に優れており、特に有益である。
【００１９】
【発明の実施形態】
次に、本発明の実施形態を図面に基づいて説明する。先ず、図１〜図１１に基づいて第１実施形態を説明する。
【００２０】
（１）．全体の概要（図１）
先ず、間仕切装置の全体の概要を図１に基づいて説明する。図１において（Ａ）は概略斜視図、（Ｂ）は骨組みを示す部分的な概略正面図である。
【００２１】
間仕切装置は、適宜間隔を隔てて立設した支柱１，２の群と、これら支柱１，２の群をその上端において連結する天枠体（天レール）３とで主たる骨組み（フレーム）が構成されている。
【００２２】
支柱の群は、平面視で矩形の頂点部を構成する４本のコーナー支柱１と、矩形の各辺の部分に配置された中間支柱２とで構成されており、コーナー支柱１と中間支柱２とは断面形状が異なっている。
【００２３】
隣合った支柱１，２で挟まれた部分を１つの単位面４としており、従って、多数の単位面４が連続することにより、全体として平面視矩形で囲い枠状の形態を成している。そして、多数の単位面４のうち１つ（複数でも良い）の単位面４を出入口５と成し、この出入口５を吊り戸式の扉６で塞ぐようにしている。
【００２４】
扉６は、左右の縦フレーム７と、左右長手の上下フレーム８，９とで正面視矩形の枠体を構成し、枠体の内部に芯材（パネル）１０を装着した基本構造になっている（もちろん、他の構造でも良い）。出入口５の側に位置した縦フレーム７の内外両面にノブ（引手）１１を設けている。
【００２５】
（Ｂ）に示すように、出入口５の両側の箇所では中間支柱２は１本だけ配置されており、コーナー支柱１にも１本の中間支柱２が重ね配置されており、その他の部分では２本の中間支柱２が一組となって背中合わせ状に配置されている。
【００２６】
出入口５を除いた単位面４の箇所には、隣合った支柱１，２を天枠体３よりも下方において連結する横桟１２が配置されている。また、隣合った中間支柱２の上端間も横桟（上ビーム）１２で連結されており、上端の横桟１２に天枠体３が重なり固定されている。
【００２７】
なお、出入口５を挟んで配置された２本の中間支柱２の上端間を横桟１２で連結しても良い。中間支柱２の上端間を横桟１２で連結せずに、天枠体３で直接に連結しても良い。横桟１２の本数や高さ位置は任意に設定することができる。
【００２８】
天枠体３は間仕切装置の全周において同じ断面形状のものを使用しているが、扉６が吊懸けられているものとその他のものとを別の断面形状とすることも可能である。但し、全周にわたって同じ断面形状とするのが部材の共通化できる点で好適である。
【００２９】
各単位面４は様々な態様に利用することができる。例えば、支柱１，２及び横桟１２を利用して、壁パネルや化粧用半透明スクリーン幕、ピッナップボード、網戸、ガラス戸、映写用スクリーン等の様々の物を取付けることができる。単位面の一部を開口したままとしておくことも可能である。横桟１２を使用せずに単位面４の全体を１枚のパネルで塞ぐことも可能である。
【００３０】
また、横桟１２を備えた単位面４の全面又は一部を開口したままにしておくことも可能である。なお、出入口５の箇所を除いて、床に天枠体３と平行に延びる地枠体を配置して、地枠体で支柱１，２を支持することも可能である。
【００３１】
天枠体３は各単位面４の箇所毎に配置することも可能であるが、間仕切装置の全体の強度や組み立て易さの点から、複数の単位面４に跨がった上端に配置し、この天枠体３に支柱１，２を固定するのが得策である。
【００３２】
（２）．天枠体３扉の構造及び吊懸け態様
次に、中間支柱２と天枠体３と扉６の構造、及び扉６の吊懸け構造について、図２〜図４に基づいて説明する。図２は扉６の上部の部分的な破断正面図、図３は図２の  ＩＩＩ−ＩＩＩ視断面図、図４は図２のＩＶ−ＩＶ視断面図である。
【００３３】
図４に示すように、中間支柱２は、アルミ等の軽金属を素材とした押し出し加工品であり、平断面略台形状で中空に形成されている。中間支柱２において台形の頂面部を成す部分には、壁パネル１４等が嵌合し得る第１縦溝１５が形成されており、底面部となる部分には第２縦溝（蟻溝）１６が形成されており、幅狭の前後面にはそれぞれ第３縦溝１７が形成されている。また、頂面部と前後面部とは外向き凹状の円弧面部１８を介して連続している。
【００３４】
例えば図３に示すように、天枠体３はアルミ等の軽金属の押し出し成形によって中空状に形成されており、前後両側面には横向き開口の第１横溝１９が形成され、下面には下向きに開口１つの第２横溝２０が形成され、上面には上向きに開口した前後一対の第３横溝２１が形成されている。
【００３５】
また、天枠体３の第１横溝１９には、扉６を開閉自在に吊懸けるためのコロ（ランナー）２２が嵌合する上下一対の突条２３を形成している。更に、天枠体３の下面には、浅い段部２４が形成されており、この段部２４に支柱（中間支柱２）の上端が嵌まるようになっている。
【００３６】
既述のとおり、扉６は、左右縦フレーム７と上下フレーム８，９と芯材１０とを主要部材としている。このうち上フレーム８は、アルミ等の軽金属の押し出し成形によって成るもので、中空でかつ上向きに開口すると共に、幅方向の中間部に下向き開口の溝条２５を備えており、溝条２５に芯材１０の上端部が嵌合している。また、上フレーム８の上下中間部には補強板２６が一体に形成されており、補強板２６に、断面円弧状の中空溝条２７を一体に形成している。
【００３７】
他方、図４に示すように、左右の縦フレーム７も軽金属製の押し出し成形品であり、外側面（扉６の外側に開口した面）は開口させ、開口部と反対側の内側面に芯材１０が嵌まる溝条２８を形成している。また、中空部のうち開口部寄りの部位には補強板２９を一体に形成している。
【００３８】
縦フレーム７の前後内幅寸法は上下フレーム８，９の前後外幅寸法と同じ寸法に設定しており、図２や図４から推測できるように、縦フレーム７の内側面の上部を切欠いて（切欠き部を符合３０で示す）、この切欠き部３０に上フレーム８の左右端部を差し込んでいる。
【００３９】
そして、左右縦フレーム７の補強板２６に貫通したビス３１を上フレーム８の中空溝条２７にねじ込むことにより、左右縦フレーム７と上フレーム８とを締結している。従って、左右縦フレーム７と上フレーム８とは２本のビス３１で締結されている。
【００４０】
扉６はその上部の左右両端部において天枠体３に吊懸けられており、図２や図３に示すように、コロ２２は、金属板製の第１金具３３に取付けられている。第１金具３３は金属板製の第２金具３４にビス３５で固定されている。
【００４１】
第２金具３４は、上フレーム８の補強板２６と縦フレーム７の補強板２９とに重なるように形成されており、第２金具３４の水平部は上フレーム８の補強板２６にビス３６で締結されている一方、第２金具３４の鉛直部は、縦フレーム７の補強板２９と上フレーム８とに前記したビス３１で共締めされている。このため、第２金具３４は縦フレーム７と上フレーム８とを補強する部材の役割も果たしている。
【００４２】
第２金具３４には鉤状の爪３７を上向きに切り起こし形成しており、この爪３７に第１金具３３の底板を嵌め込んでいる。このため、扉６の重量がビス３５だけに作用するのを防止して、扉６の吊支強度を向上させることができ。扉６の上部には、金具３３，３４を隠す上カバー３２を取付けている。
【００４３】
左右縦フレーム７の開口部には合成樹脂製の縁カバー（エッジ）３８を弾性に抗しての嵌め込みによって装着している。そして、出入口５の側に位置した縦フレーム７の縁カバー３８には、閉じた状態で中間支柱２に当接して隙間を塞ぎ得る突片３９を設けている。
【００４４】
突片３９はエラストマーのような軟質合成樹脂又はゴムから成っており、共押し出し法によって縁カバー３８に一体成形している（嵌め込みや接着によって縁カバー３８に取付けることも可能である）。
【００４５】
扉６は中間支柱２の外側に配置されているため、閉じた状態で多少なりとも扉６と中間支柱２との間に隙間が空く。このため、用途によっては遮光性や遮蔽性が問題になることがある。これに対して、本実施形態のように縁カバー３８に突片３９を設けると、光が内外に漏れたり内部を覗き見られたりすることを防止できる利点がある。
【００４６】
また、遮蔽機能だけを考えれば中間支柱２に突片を設けることも可能であるが、本実施形態のように扉６に突片３９を設けると、扉６を開いた状態で突片３９が人目に触れることを抑制できるため、美感において優れている。突片３９は軟質であるため、中間支柱２に当接したり人や物が当たっても破損することはない。
【００４７】
（３）．扉の施錠装置
本実施形態の扉６は、閉じた状態で施錠できるよう簡易タイプの施錠装置を備えている。この点を、図２，４に加えて図５〜６も参照して説明する。図５は扉を空けた状態での図４の  Ｖ−Ｖ視断面図、図６は受け部材の斜視図である。
【００４８】
施錠装置の一環として、縦フレーム７の中空部内に上下長手の閂棒（ロック棒）４０を配置している。閂棒４０はノブ１１の部分から上向きに延びており、その下端部は、ノブ１１に一体に設けた錠前４１に連結されている。ノブ１１に設けた鍵穴（図７参照）４２にキーを差し込んでキーを施錠方向に回転させると閂棒４０が上昇し、キーを解錠方向に回転させると閂棒４０下降動する。
【００４９】
図２及び図５に示すように、閂棒４０はその上部においてブッシュ４３でガイドされており、ブッシュ４３は、前記した第２金具３４の折曲げ片３４ａに装着している。このため、第２金具３４は、コロ２２の取付けと、縦フレーム７及び上フレーム８との締結の補強と、閂棒４０の上下ガイドとの３つの役割を兼用しており、このため部材点数を抑制できる利点がある（もとより、第２金具３４と分離してブッシュ４３を設けることも可能である）。
【００５０】
閂棒４０には、ブッシュ４３に下方から当たって少々高さを規制するストッパー（スナップリング）４４が取付けられている。
【００５１】
扉６を閉じた状態で閂棒４０の上方に位置する部位には受け部材４５が配置されている。受け部材４５は、天枠体３の下面にビス４６で固定された本体部４５ａと、本体部４５ａに溶接等によって固定された平面視Ｕ形の係止部４５ｂとから成っており、閂棒４０の上端部が係止部４５ｂに嵌まることによって扉６は閉じた状態にロックされる。
【００５２】
受け部材４５は、平面視矩形でかつ本体部４５ａは天枠体３の段部２４にきっちり嵌まり込んでいる。このため、１本のビス４６で固定しただけでありながら、ロック状態で扉６を開閉動させても水平旋回することなく強固に固定された状態に保持される利点がある。
【００５３】
（４）．扉の下部のガイド（図７〜図１１）
次に、扉６の下部のガイド機構を図７以下の図面も参照して説明する。図７は扉６のうち出入口５の側に位置部分の一部破断正面図、図８は図７及び図９のＶＩＩＩ−ＶＩＩＩ視断面図、図９は図８のＩＸ−ＩＸ視断面図、図１０及び図１１は部材の分離斜視図である。
【００５４】
例えば図９に示すように、扉６の下フレーム９は既に説明した上フレーム８と上下対称の断面形状であり、このため、下向きに開口したガイド溝４８が全長にわたって延びている。一方、出入口５を挟んで扉６の側に位置した中間支柱２の下部には金属板製のブラケット４９を取付けており、このブラケット４９の下端部に支軸５０を介してガイドローラ５１を水平回転自在に取付け、このガイドローラ５１を扉６のガイド溝４８に転動自在に嵌め入れている。
【００５５】
下フレーム９におけるガイド溝４８の内側面には、ガイドローラ５１の外周面が当たる突条４８ａを設けている。突条４８ａの存在によって下フレーム９の剛性が高くなるため、扉６を安定性よくガイドできる利点である。
【００５６】
図８〜図１０から容易に理解できるように、第３ブラケット４９は、中間支柱２の側面に密着又は密接する基部５２を備えており、この基部５２に、中間支柱２の円弧面部１８にきっちり重なる上下の第１位置決め片（姿勢保持片）５３と、中間支柱２における第３縦溝１７の底面箇所に形成した係合穴５４に落し込み係合させ得る上下の係止爪５５と、上下係止爪５５の間に位置すると共に中間支柱２の広巾面に重なる第２位置決め片５６と、ガイドローラ５１を取付けるために下端において外向き突出させた支持片５７とを折曲げ形成している。
【００５７】
なお、ガイドローラ５１の支軸５０はナット５８で固定されているが、支軸５０を支持片５７にねじ込みにて固定しても良い。また、図８に一点鎖線で示すように、ブラケット４９の第２位置決め片５６をビス５９で中間支柱２に固定したり、第２位置決め片５６にねじ込んだビスを中間支柱２に突っ張らせても良く、こうすると第２ブラケット４９をよりしっかりと中間支柱２に固定できる。
【００５８】
更に、第２ブラケット４９に複数（例えば２個）のガイドローラ５１を、間口方向に沿って並ぶように取付けても良い（こうすると扉６の姿勢保持機能を向上できる）。本実施形態では、扉６は開いた状態で出入口５に部分的に入り込んでいるが、開いた状態で扉６の端面が中間支柱２の端面と略同じ面となるように設定することも可能である。
【００５９】
例えば図７や図１１から容易に理解できるように、縦フレーム７のうち溝条２８が形成されている部分を切欠いて（切欠き部を符合６１で示す）、この切欠き部６１に下フレーム９の端部を嵌め入れ、縦フレーム７の補強板２９に貫通したビス６２を下フレーム９の中空溝条２７にねじ込むことにより、縦フレーム７と下フレーム９とを締結している。従って、左右縦フレーム７と上下のフレーム８，９とは４本のビス３１，６２で締結されている。
【００６０】
（５）．ラッチ装置
扉６の下端の左右両端部には、ガイドローラ５１の支軸５０に係合することによって扉６を開いた状態と閉じた状態とに選択的に保持するラッチ部材６３が配置されている。
【００６１】
このラッチ部材６３は合成樹脂製であり、縦フレーム７と下フレーム９との両方に跨がった状態で重なるようになっている。また、縦フレーム７の補強板２９に外側から重なる起立部６４と、平面視二股状のキャッチ部６５と、下フレーム９の下端に内向き突設したフランジ９ａに係合する上向きの爪部６６とを備えている。
【００６２】
そして、起立部６４と縦フレーム７の補強板２９と下フレーム９ととをビス６２で共締めしている。従って、ラッチ部材６３は縦フレーム７と下フレーム９との姿勢を保持する補強部材の役割を兼用しており、このため、１本のビス６２で固定したものでありながら、扉６を堅牢な状態に組み立てることができる利点がある。
【００６３】
ラッチ部材６３におけるキャッチ部６５の先端には爪６５ａが形成されており、キャッチ部６５は、その間隔を広げるように水平方向に撓み変形することによってガイドローラ５１の支軸５０に嵌脱し、扉６は閉じた状態と開いた状態とに選択的に保持される。勿論、ある程度の力をかけると、キャッチ部６５を撓み変形させて支軸５０から離脱させ、扉６を開閉動することができる。
【００６４】
ラッチ手段としては、扉６に例えば板状のストッパーを設けて、扉６を閉じた状態及び開いた状態でキャッチ部６５がその弾性力によってストッパーを挟み続けているように構成することも可能であるが、本実施形態では、ラッチ部材６３のキャッチ部６５は、爪６５ａが支軸５０を乗り越えると弾性復元力は作用しないように設定している。
【００６５】
すなわち、キャッチ部６５の空間の間隔のうち爪６５ａの箇所を除いた寸法を支軸５０と同じ寸法か又はやや大きい寸法に設定している。このように構成すると、撓み変形させ続けることに起因して弾性復元力が徐々に低下するへたり現象を防止又は著しく抑制して、耐久性を向上できる利点がある。
【００６６】
（６）．まとめ
以上の構成において、ガイドローラ５１が取付く第２ブラケット４９は中間支柱２の係合穴５４に落し込むことによって取付けるものであるため、床面にブラケットを固定してこれにガイドローラを取付ける場合に比べて取付け作業がきわめて簡単であり、また、壁パネル１４等の選択の自由性が損なわれることもない。
【００６７】
係合穴５４を中間支柱２の略全長にわたって多数形成しておいても良い。扉６はその下端が例えば成人の腰程度の高さに位置するものがあるが、予め係合穴５４を中間支柱２に多数空けておくと、第２ブラケット４９の高さ位置の変更は極めて簡単であるため、扉６の高さの違いに簡単に対応できる利点がある。
【００６８】
多数の係合穴５４を適宜ピッチで空けておくことに代えて、扉６の下端の高さの違いに合わせて何段階かの高さ位置に係合穴５４を空けておいても良い。
【００６９】
本実施形態のように、ブラケット４９に位置決め片５３，５６のような姿勢保持部を設けると、ブラケット４９のガタ付きを防止又は著しく抑制できるため好適である。
【００７０】
特に、本実施形態のように、第１位置決め片５３と第２位置決め片５６とで中間支柱２の前後端部を左右両側から挟む形態にすると、扉６を開けるときも閉じるときもいずれかの位置決め片５３，５６が中間支柱２に突っ張る状態になるため、第２ブラケット４９のガタ付きを的確に抑制できて特に好適である。
【００７１】
また、間仕切装置には、扉６を出入口５を外側から塞ぐ外扉形式と、出入口５を内側から塞ぐ内扉方式とがあるが、天枠体３と中間支柱２とを前後対称の形状に形成しておくと、外扉方式と内扉方式とにごく簡単に対応できる利点がある。
【００７２】
本実施形態のように、ガイドローラ５１の支軸５０をラッチ手段に兼用すると、専用の部材が不要になるため構造を簡単化できる利点がある。
【００７３】
（７）．第２実施形態（図１２）
図１２では第２実施形態を示している。（Ａ）は部分的な平面図、（Ｂ）は（Ａ）のＢ−Ｂ視断面図である。
【００７４】
この実施形態において中間支柱２は第１実施形態と同じものを使用しており、隣合った２本の中間支柱２に、固定ガイドの一例としての固定レール部６８を有するブラケット６９が取付けられている。
【００７５】
他方、扉６の下面のうち出入口５から遠い端部には、固定レール部６８の上方に向けて延びる支持部材７０を固定して、支持部材７０に、固定レール部６８の内外に当接する一対のガイドローラ７１を水平回転自在に取付けている。この例ではガイドローラ７１が可動ガイド部材になっている。
【００７６】
本実施形態では、固定レール部６８は、隣合った中間支柱２の外側面を結ぶ仮想線７２よりも内側にずらしている。すなわち、単位面４の壁面は中間支柱２の外側面よりも内側に凹んでいる。
【００７７】
このため、固定レール部６８が邪魔になることを防止てきる。また、ブラケット６９はその左右両端部がそれぞれ中間支柱２に取付けられているため、単に係合爪６６を係合穴５４に落とし込むだけでもガタ付きはなくて、扉６をしっかりとガイドできる。
【００７８】
（Ｃ）に示すように、ガイドローラ７１として溝付きのものを使用して、これを水平状の軸線回りに回転するように設定しても良い。また、ガイド手段としては、ガイドローラ７１に代えて合成樹脂製スライダーのような他のものを使用しても良い（この点は発明全体に共通することである）。
【００７９】
（８）．その他
本発明は、上記の実施形態の他にも様々に具体化することができる。例えば天枠体や支柱、或いは扉等の各部材は様々の構造・断面形状に設計することができる。
【００８０】
また、出入口の間口寸法が大きい場合は、出入口を挟んだ両側にそれぞれ扉を配置して、左右の扉が出入口の中間部において突き合わさるように構成したり、出入口を挟んだ片側に２枚の扉を前後に配置して引き違い方式に構成するなどしても良い。
【００８１】
また、扉は間仕切装置が囲い枠状になっているため必要であるが、この囲い枠状という形状には、間仕切装置が室内等に独立して島状に配置されている場合と、平面視で建物の壁から突出した状態に配置されている場合とがあり、後者の場合は、間仕切装置が建物の壁に向けて開口した平面視コ字状となっていても良い。
【図面の簡単な説明】
【図１】（Ａ）は第１実施形態に係る間仕切装置の概略斜視図、  （Ｂ）は骨組みを示す概略分離図である。
【図２】扉の上部の部分的な破断正面図である。
【図３】図２の  ＩＩＩ−ＩＩＩ視断面図である。
【図４】図２のＩＶ−ＩＶ視断面図である。
【図５】扉を空けた状態での図４の  Ｖ−Ｖ視断面図である。
【図６】施錠用キャッチ部材の斜視図である。
【図７】扉のうち出入口の側に位置した部分の一部破断正面図である。
【図８】図７及び図９のＶＩＩＩ−ＶＩＩＩ視断面図である。
【図９】図８のＩＸ−ＩＸ視断面図である。
【図１０】ブラケットと中間支柱との分離斜視図である。
【図１１】ラッチ部材と扉との分離斜視図である。
【図１２】第２実施形態を示す図である。
【符号の説明】
１，２  支柱
３  天枠体
４  単位面
５  出入口
６  扉
１４  壁パネル
１７  中間支柱の第３縦溝
２２  コロ（ランナー）
３３，３４  金具
４８  ガイド溝
４９  ブラケット
５１  ガイドローラ
５３，５６  位置決め片
５４  係合穴
５５  ブラケットの係止爪
【図１】
2004316085.tif 000003
【図２】
2004316085.tif 000004
【図３】
2004316085.tif 000005
【図４】
2004316085.tif 000006
【図５】
2004316085.tif 000007
【図６】
2004316085.tif 000008
【図７】
2004316085.tif 000009
【図８】
2004316085.tif 000010
【図９】
2004316085.tif 000011
【図１０】
2004316085.tif 000012
【図１１】
2004316085.tif 000013
【図１２】
2004316085.tif 000014